(57)【要約】本発明は、シリンダ２を備えた内燃機関のピストン５のためのピストンクラウン３に関し、ピストンクラウン３はシリンダ２内の燃焼室７に面するように構成されたピストンボウル面６を有し、ピストンボウル面は、環状リム部３４と、環状リム部３４に接続され環状リム部によって囲まれるフロア部３１と、環状リム部において周方向に間隔をあけて配置される複数の突出部３３１と、隣り合う２つの突出部間に配置される少なくとも１つの噴霧衝突部とを含む。噴霧衝突部は、反射面３３０であって、反射面３３０に対する各仮想法線Ｎがピストンの中心軸Ａに向かうように方向付けられると共に、各仮想法線Ｎと中心軸Ａとがなす角度β’が一定角度の±１０°の範囲内であることにより規定される反射面３３０を含み、一定角度は少なくとも５０°である。【選択図】図４ａ
2019504243.tif 000002
【特許請求の範囲】
【請求項１】
シリンダ（２）を備えた内燃機関（１）のピストン（５）のためのピストンクラウン（３）であって、
前記シリンダ（２）内の燃焼室（７）に面するように構成されたピストンボウル面（６）を有し、
前記ピストンボウル面（６）は、
環状リム部（３４）と、
当該環状リム部（３４）に接続され前記環状リム部（３４）によって囲まれるフロア部（３１）と、
前記環状リム部（３４）において周方向に間隔をあけて配置される複数の突出部（３３１）と、
隣り合う２つの前記突出部間に配置される少なくとも１つの噴霧衝突部と、
を含み、
前記噴霧衝突部が、
反射面（３３０）であって、当該反射面（３３０）に対する各仮想法線（Ｎ）が前記ピストン（５）の中心軸（Ａ）に向かうように方向付けられると共に、前記各仮想法線（Ｎ）と前記中心軸（Ａ）とがなす角度（β’）が一定角度の±１０°の範囲内であることによって規定される前記反射面（３３０）を含み、
前記一定角度が少なくとも５０°であることを特徴とする、ピストンクラウン（３）。
【請求項２】
前記反射面（３３０）は、実質的に、好ましくは直円錐である仮想的な円錐（３３３）の包絡面（３３２）の一部の形状を有する、請求項１に記載のピストンクラウン（３）。
【請求項３】
前記仮想的な円錐（３３３）は、円錐頂部（３３４）及び円錐底部（３３５）を有し、前記円錐頂部（３３４）と前記円錐底部（３３５）とが前記フロア部（３１）を挟んで反対側に位置しており、前記フロア部（３１）が前記円錐底部（３３５）に面している、請求項２に記載のピストンクラウン（３）。
【請求項４】
前記環状リム部（３４）は、前記中心軸（Ａ）に沿った前記ピストンボウル面（６）の最高位置を規定し、前記フロア部（３１）が、前記中心軸（Ａ）に沿った前記ピストンボウル面（６）の最低位置を規定し、前記ピストンボウル（３）が、前記最高位置と前記最低位置と差である、前記中心軸（Ａ）に沿ったピストンボウル長さ（Ｄｍａｘ）を有し、
前記反射面（３３０）は、前記中心軸（Ａ）に沿った反射面長さ（Ｄａ）を有し、
前記反射面長さ（Ｄａ）が、前記ピストンボウル長さ（Ｄｍａｘ）の少なくとも１０％、好ましくは、前記ピストンボウル長さ（Ｄｍａｘ）の少なくとも１５％である、請求項１〜請求項３のいずれか１つに記載のピストンクラウン（３）。
【請求項５】
前記反射面長さ（Ｄａ）は、前記ピストンボウル長さ（Ｄｍａｘ）の１５％〜３０％、好ましくは、前記ピストンボウル長さ（Ｄｍａｘ）の２０％〜３０％、最も好ましくは、前記ピストンボウル長さ（Ｄｍａｘ）の約２５％である、請求項４に記載のピストンクラウン（３）。
【請求項６】
前記反射面長さ（Ｄａ）は、前記中心軸（Ａ）に沿って、前記ピストンボウル面（６）の前記最低位置から第１の距離（Ｄ１）の位置を始点に延びており、前記第１の距離（Ｄ１）が、前記ピストンボウル長さ（Ｄｍａｘ）の少なくとも１５％、好ましくは、前記ピストンボウル長さ（Ｄｍａｘ）の少なくとも２５％、最も好ましくは、少なくとも３０％である、請求項４又は請求項５に記載のピストンクラウン（３）。
【請求項７】
前記一定角度は、少なくとも６０°、好ましくは、少なくとも７０°、最も好ましくは、７０°〜８０°である、請求項１〜請求項６のいずれか１つに記載のピストンクラウン（３）。
【請求項８】
前記一定角度は、８５°未満、好ましくは、８０°未満である、請求項１〜請求項７のいずれか１つに記載のピストンクラウン（３）。
【請求項９】
前記反射面（３３０）は、前記反射面（３３０）に対する各仮想法線（Ｎ）が前記ピストン（５）の中心軸（Ａ）に向かうように方向付けられると共に、前記各仮想法線（Ｎ）と前記中心軸（Ａ）とがなす角度（β’）が前記一定角度の±５°の範囲内であり、好ましくは、前記各仮想法線（Ｎ）と前記中心軸（Ａ）とがなす角度（β’）が前記一定角度の±２°の範囲内であることにより規定されている、請求項１〜請求項８のいずれか１つに記載のピストンクラウンン（３）。
【請求項１０】
前記反射面（３３０）は、前記中心軸（Ａ）に直角な平面において、前記中心軸（Ａ）周りに少なくとも５°、好ましくは、少なくとも１０°、最も好ましくは、１０°〜４０°の範囲内の角度（δ）に対応する、前記環状リム部（３４）の周方向に沿った長さを有する、請求項１〜請求項９のいずれか１つに記載のピストンクラウン（３）。
【請求項１１】
前記環状リム部（３４）は、少なくとも２個、好ましくは、２個〜１０個、より好ましくは４個〜８個、最も好ましくは、５個〜７個の反射面（３３０）を含む、請求項１〜請求項１０のいずれか１つに記載のピストンクラウン（３）。
【請求項１２】
前記反射面（３３０）は、前記中心軸（Ａ）周りで等角度間隔にて配置されている、請求項１〜請求項１１のいずれか１つに記載のピストンクラウン（３）。
【請求項１３】
前記ピストンクラウン（３）の反射面（３３０）の全てが同じ形状である、請求項１〜請求項１２のいずれか１つに記載のピストンクラウン（３）。
【請求項１４】
前記ピストンクラウン（３）の前記突出部（３３１）の少なくとも幾つかは同じ形状であり、好ましくは、前記ピストンクラウン（３）の前記突出部（３３１）の全てが同じ形状である、請求項１〜請求項１３のいずれか１つに記載のピストンクラウン（３）。
【請求項１５】
少なくとも１つの前記突出部（３３１）の部分であって前記中心軸（Ａ）の最も近くに位置する部分の少なくとも一部が形成する面に対する各仮想法線は、前記反射面（３３０）についての前記各仮想法線と同じ角度（β’）である、請求項１〜請求項１４のいずれか１つに記載のピストンクラウン（３）。
【請求項１６】
前記ピストンボウル面（６）は、前記フロア部（３１）と前記反射面（３３０）との間に位置する凹面（３３７）、及び、前記反射面（３３０）と前記環状リム部（３４）との間に位置する凸面（３３８）を含む、請求項１〜請求項１５のいずれか１つに記載のピストンクラウン（３）。
【請求項１７】
請求項１〜請求項１６のいずれか１つに記載のピストンクラウン（３）を含むピストン（５）。
【請求項１８】
エンジンシリンダ（２）と、
前記エンジンシリンダ（２）内において下死点と上死点との間で中心軸（Ａ）に沿って往復運動するように配置されたピストン（５）であって、請求項１〜請求項１６のいずれか１つに記載のピストンクラウン（３）を含む前記ピストン（５）と、
を備えた、内燃機関（１）。
【請求項１９】
前記ピストンクラウン（３）は、前記内燃機関（１）のインジェクタ（１３）に関連するように配置されており、前記インジェクタ（１３）が、少なくとも１つの噴孔（１３０）を含み、前記噴孔（１３０）が、燃料を噴霧ベクトルに沿って前記噴霧衝突部（３３０）に向けて噴射するように構成されている、請求項１８に記載の内燃機関（１）。
【請求項２０】
前記噴霧ベクトルと前記中心軸（Ａ）とが噴霧角度（β）をなし、前記一定角度が、前記噴霧角度（β）よりも少なくとも２°、好ましくは、少なくとも５°だけ小さい、請求項１９に記載の内燃機関（１）。
【請求項２１】
前記中心軸（Ａ）を通る平面で視て、前記反射面（３３０）に対する各仮想法線と、対応するインジェクタの噴孔（１３０）の噴霧ベクトルとがなす角度（γ）は、１０°未満、好ましくは、５°未満、より好ましくは、２°未満、最も好ましくは、略０°である、請求項１９又は請求項２０に記載の内燃機関（１）。
【請求項２２】
請求項１〜請求項１６のいずれか１つに記載のピストンクラウン及び請求項１７に記載のピストンの少なくとも一方を含む内燃機関、並びに、請求項１８〜２１のいずれか１つに記載の内燃機関の少なくとも一方を備えた、好ましくは、トラック（１００）である車両。
【発明の詳細な説明】
【技術分野】
【０００１】
本発明は、シリンダを備えた内燃機関のピストンのためのピストンクラウンに関する。このピストンクラウンは、シリンダ内の燃焼室に面するように構成されたピストンボウル面を有する。ピストンボウル面は、環状リム部と、この環状リム部に接続され環状リム部によって囲まれるフロア部と、環状リム部において周方向に間隔をあけて配置される複数の突出部と、隣り合う２つの突出部間に配置される少なくとも１つの噴霧衝突部と、を含む。
【０００２】
本発明は、あらゆるタイプの車両用の内燃機関、特に、ディーゼルエンジンに適用可能である。このように、本発明は、ローリー若しくはトラックなどの大型車両、建設機械、水上船又は乗用車のための内燃機関に適用可能である。
【背景技術】
【０００３】
内燃機関の技術分野では、副生成物、つまり、一酸化炭素排出物及び炭化水素排出物も当然考慮され得るが、特に、煤粒子及びＮＯｘ排出物の観点からも満足できる効率的な燃焼を達成するために多くの努力がなされている。
【発明の概要】
【発明が解決しようとする課題】
【０００４】
燃料をシリンダ内に直接噴射してシリンダ内で上昇した温度及び圧力により着火させる燃焼プロセスは、一般にディーゼルプロセスと呼ばれている。シリンダ内で燃料が着火されるとき、シリンダ内に存在する燃焼ガスは、燃焼する燃料と乱流混合し、混合制御された拡散火炎が形成される。シリンダ内の燃料／ガス混合気の燃焼により熱を生じさせ、この熱は、シリンダ内のガスを膨張させ、したがって、シリンダ内でピストンを移動させる。燃料の噴射圧力、シリンダに再循環させる排気の量、燃料の噴射時間及びシリンダ内で優勢となる乱流などの多くのパラメータに応じて、様々なエンジン効率及び排出量レベルが得られる。
【０００５】
燃焼中に煤粒子は複雑なプロセスで生成され、煤粒子の正味量は、形成された煤と酸化した煤との差である。一般に、燃料リッチな燃料／ガス混合気を不十分な混合状態且つ高温で燃焼することで多量の煤が生成される。しかし、煤の酸化が促進されれば煤粒子の形成を抑制することができる。
【０００６】
燃焼中、窒素酸化物（ＮＯｘ）は、強い温度依存性を有する熱プロセスにおいて空気中の含有窒素から生成され、とりわけ、加熱される体積のサイズ及びプロセスの時間に依存する。
【０００７】
また、特に、未燃燃料が、シリンダ壁の近く又はピストンとシリンダライニングとの間の凹部などの燃焼室の比較的低温の領域で生じると、一酸化炭素排出物（ＣＯ）及び炭化水素排出物（ＨＣ）が排出されるおそれがあった。
【０００８】
内燃機関において燃焼プロセスによる排出物をコントロールするために、特に、低減するために、燃焼室に向かって開口するピストンボウル面の形状を活用することが提案されてきた。ピストンボウル面は、シリンダ内の往復ピストンのピストンクラウンの一部である。この目的を達成するために、ピストンボウル面を、火炎伝搬、混合エネルギー、運動エネルギー分布及び／又はスワールなど、燃焼室内の様々なパラメータに影響を与えるように設計することができる。一般に、燃焼室内のよどみ領域（stagnation zone）の発生を抑制することが望まれている。
【０００９】
特定の用途のために、燃焼室内のコンディションに影響を与えるための、周方向に配置された複数の突出部又は複数の隆起部を備えたピストンクラウンを使用することが提案されている。
【００１０】
例えば、国際公開２０１１／１０１１５４号には、内燃機関のシリンダ内で往復運動するように構成されたピストンにおいて、燃焼室に向かって突出する複数の突出部又は隆起部が火炎柱の衝突領域（flame plume impingement areas）間の中間部、且つ、往復運動方向に直交する平面に配置されていることが記載されている。
【００１１】
米国特許第８４９９７３５号には、上記ピストンとは別のピストンにおいて、燃焼室に向かって突出する第１形式の複数の突出部が、噴霧／火炎柱の衝突領域間、且つ、ピストンの往復運動方向に略直交する平面に配置されており、この突出部が、火炎の運動エネルギーを保存するように、且つ、周方向に進む火炎のほとんどを火炎と火炎の相互作用が最も少ないピストンの中心軸に向かわせるように滑らかな形状を有していることが記載されている。また、第２形式の複数の突出部が衝突領域内に設けられており、この突出部は、火炎を周方向の火炎発達（flame progress）方向に向かわせるように構成されている。
【００１２】
内燃機関における燃焼プロセスのコントロールを更に改善するか、又は、有用な代替案を提供する必要がある。
【００１３】
本発明は、上述の必要性を満たすピストンクラウンを提供することを目的とする。
【課題を解決するための手段】
【００１４】
この目的は、請求項１に記載のピストンクラウンによって達成される。
【００１５】
すなわち、内燃機関のピストン用のピストンクラウンであって、シリンダ内の燃焼室に面するように構成されたピストンボウル面を有し、ピストンボウル面が、環状リム部（circumferential rim portion）と、環状リム部に接続され環状リム部によって囲まれるフロア部と、環状リム部において周方向に間隔をあけて配置される複数の突出部と、隣り合う２つの突出部間に配置される少なくとも１つの噴霧衝突部と、を含む、ピストンクラウンが提供される。
【００１６】
噴霧衝突部は、反射面であって、反射面に対する各仮想法線（possible normal）がピストンの中心軸Ａに向かうように方向付けられると共に、各仮想法線と中心軸Ａとがなす角度が一定角度（constant angle）の±１０°の範囲内であることによって規定されている、反射面を含む。
【００１７】
さらに、一定角度は少なくとも５０°である。
【００１８】
上述の定義から理解できるように、反射面は、一定角度周りに±１０°のばらつきを有する環状リム部の一部として規定されている。また、「面」という用語により、反射面が、中心軸に沿った少なくともある程度の長さと、中心軸周りの周方向に沿った少なくともある程度の長さを有するべきであるということが理解される。
【００１９】
噴霧衝突部における反射面は、インジェクタの噴孔から噴射された噴霧が衝突する面であって、この噴霧を反射させる面である。噴霧が反射するように作用させることで、反射面の形状が燃焼室内の運動エネルギーの分散に影響を与えることになる。
【００２０】
噴霧衝突部において上述したように規定される反射面は、ピストンクラウンの構成において、少なくとも１つの噴霧ベクトルに沿った噴霧を噴射するためのインジェクタと共に提供される。したがって、噴霧ベクトルは中心軸と角度を形成することになる。反射面は、反射面の一定角度が噴霧ベクトルと中心軸とがなす角度に一致するように、所望の噴霧ベクトルと関係付けられて設計されるべきである。
【００２１】
この場合、反射面は、噴霧ベクトルに対して略直角となり、衝突した噴霧を噴霧ベクトルの逆方向に向かって戻るように反射させる。したがって、反射面に衝突する噴霧ベクトルと、反射した噴霧の方向のほとんどとの間で規定される反射角度は、約０°ということになる。
【００２２】
これは、以上で説明した突出部に隣接する噴霧衝突領域と組み合わせて特に有利であると考えられる。
【００２３】
実際に、このようなピストンクラウンを内燃機関に用いれば、内燃機関の圧縮比との関係で有利な燃費特性が達成された。また、このような内燃機関では、煤排出量の観点で有利であるということが示された。
【００２４】
一定角度が少なくとも５０°であることは、噴霧ベクトルと中心軸とがなす角度が少なくとも５０°であってもよいことを意味している。
【００２５】
したがって、中心軸と噴射される噴霧ベクトルとの間に比較的大きな角度を用いているとみなされる。これは、突出部と本明細書に記載の噴霧衝突領域とを組み合わせて、好適な燃焼条件を可能にする点で特に有利であると考えられる。
【００２６】
選択的に、反射面は、実質的に、好ましくは直円錐（right circular cone）である仮想的な円錐（imaginary cone）の包絡面（envelope surface）の一部の形状を有する。反射面のこのような形状は、衝突する噴霧を所望の方向に反射させることが可能であることを意味している。
【００２７】
選択的に、仮想的な円錐は、円錐頂部及び円錐底部を有する。円錐頂部と円錐底部とは、フロア部を挟んで反対側に位置しており、フロア部は円錐底部に面している。
【００２８】
選択的に、一定角度は、少なくとも６０°、好ましくは、少なくとも７０°、最も好ましくは、７０°〜８０°であってもよい。
【００２９】
選択的に、一定角度は、８５°未満、好ましくは、８０°未満であってもよい。
【００３０】
実施形態によれば、反射面は、反射面に対する各仮想法線がピストンの中心軸に向かうように方向付けられると共に、各仮想法線と中心軸とがなす角度が一定角度の±５°、好ましくは、±２°の範囲内であることによって規定されてもよい。
【００３１】
このようなピストンクラウンが、中心軸と一定角度をなす噴霧ベクトルを提供するインジェクタと共に設けられることは、反射面に衝突する噴霧ベクトルと、反射した噴霧の方向のほとんどとの間で規定される反射角が、反射面全体を考えると、それぞれ、５°又は２°に制限されることを意味している。
【００３２】
特に、反射面は、反射面に対する各仮想法線の角度が一定角度をなすことにより規定されてもよい。この場合、これと同様に中心軸と一定角度をなす噴霧ベクトルと組み合わせることで、反射角を反射面全体に亘って約０°とすることが可能である。
【００３３】
第２の側面では、上述した目的は、エンジンのシリンダと、シリンダ内の燃焼室に面するピストンボウル面を有するピストンクラウンと、少なくとも１つの噴孔を含むインジェクタと、を備えた内燃機関であって、ピストンボウル面が、環状リム部と、環状リム部に接続され環状リム部によって囲まれるフロア部と、環状リム部において周方向に間隔をあけて配置される複数の突出部と、隣り合う２つの突出部間に配置される少なくとも１つの噴霧衝突部と、を含み、噴孔が、燃料を噴霧ベクトルに沿って噴霧衝突部に向かうように噴射するように構成された、内燃機関によって達成される。
【００３４】
この内燃機関では、噴霧衝突部は、反射面を含み、反射面は、中心軸を通る平面で視て、反射面に対する各仮想法線と、対応するインジェクタの噴孔の噴霧ベクトルとが１０°未満の角度γをなすことによって規定されている。
【００３５】
したがって、反射面に向けて噴射される噴霧ベクトルと、衝突後に反射面から反射する噴霧との差である理論上の反射角は、１０°未満であるべきである。
【００３６】
有利には、反射面に対する各仮想法線と、対応するインジェクタの噴孔の噴霧ベクトルとの間の角度は、中心軸を通る平面で視て、５°未満、好ましくは、２°未満である。
【００３７】
特に、反射面に対する各仮想法線と、対応するインジェクタの噴孔の噴霧ベクトルとの間の角度は、中心軸を通る平面で視て、略０°であってもよい。この場合、反射面は、仮想法線の全てが噴霧ベクトルに平行な円錐面の一部として形成されることになる。
【００３８】
代替として、噴霧ベクトルと中心軸とが噴霧角度をなし、一定角度は、噴霧角度よりも少なくとも２°、好ましくは、少なくとも５°だけ小さい。このことは、燃料が、噴孔の上方の位置に向かって反射することを意味し、その結果、燃焼中の燃焼火炎と中心軸とがやや鋭角をなすことになり、これにより、内燃機関の効率を向上させることができる。
【００３９】
本発明の２つの側面では、ピストンクラウンのみを考慮しても、内燃機関を考慮しても、以下の特徴を提供することができる。
【００４０】
一般に、環状リム部が中心軸に沿ったピストンボウル面の最高位置（maximum level）を規定しており、フロア部が中心軸に沿ったピストンボウル面の最低位置（minimum level）を規定しており、ピストンボウルは、最高位置と最低位置との差である、中心軸に沿ったピストンボウル長さを有し、反射面は、中心軸に沿った反射面長さを有する。
【００４１】
実施形態によれば、反射面長さは、ピストンボウル長さの少なくとも１０％、好ましくは、ピストンボウル長さの少なくとも１５％である。
【００４２】
実施形態によれば、反射面長さは、ピストンボウル長さの１５％〜３０％、好ましくは、２０％〜３０％、最も好ましくは、約２５％である。
【００４３】
反射面の軸方向長さ（反射面長さ）は、好ましくは、噴射期間の少なくとも主要な期間中に噴霧ベクトルが反射面に衝突するようになっているべきである。好ましくは、噴霧ベクトルは、全噴射期間中に反射面に衝突するようになっている。したがって、反射面の適切な軸方向長さを、噴射期間と、噴射期間中にピストンクラウンがインジェクタの噴孔に対して移動する中心軸に沿った距離とを考慮することで選択することができる。
【００４４】
実施形態によれば、反射面長さは、中心軸に沿って、ピストンボウルの最低位置から第１の距離の位置を始点に延びており、第１の距離は、ピストンボウル長さの少なくとも１５％、好ましくは、ピストンボウル長さの少なくとも２５％、より好ましくは、少なくとも３０％である。有利には、第１の距離は、ピストンボウル長さの５０％未満、好ましくは、４０％未満であってもよい。
【００４５】
反射面は、また、環状リム部の周方向に沿った長さを有することになる。この周方向に沿った長さは、中心軸に直交する平面において、中心軸周りの角度を用いて表現される。
【００４６】
反射面の周方向長さは、概して、ジェット噴霧の全てが反射面により提供される噴霧衝突領域に十分に衝突するように選択されるべきである。
【００４７】
実施形態では、反射面は、中心軸と直交する平面で、中心軸周りに少なくとも５°の周方向長さを有してもよい。好ましくは、周方向長さは、少なくとも１０°であり、最も好ましくは、１０°〜４０°の範囲である。選択的に、周方向長さは、５０°未満、好ましくは、４０°未満である。
【００４８】
実施形態では、環状リム部は、少なくとも２個の反射面、好ましくは、２〜１０個の反射面、より好ましくは、４〜８個の反射面、最も好ましくは、５〜７個の反射面を含む。反射面の数は、ジェット噴霧の数、すなわち、対応するインジェクタの噴孔の数に応じて必然的に決めることが可能である。
【００４９】
実施形態では、複数の反射面は、中心軸周りに等角度間隔で配置されている。また、複数の反射面は、対応するインジェクタの噴孔の配置に対応して配置されるように構成されている。
【００５０】
実施形態では、ピストンクラウンの反射面の全ては同じ形状である。
【００５１】
実施形態では、突出部の少なくとも幾つかは同じ形状であり、好ましくは、ピストンクラウンの突出部の全ては同じ形状である。
【００５２】
実施形態では、少なくとも１つの突出部の部分であって中心軸の最も近くに位置する部分の少なくとも一部が形成する面に対する各仮想法線は、反射面についての各仮想法線と同じ角度である。
【００５３】
有利には、ピストンボウルの内側形状は、反射面と突出部とが滑らかに結合するように設計されている。例えば、反射面は、周方向に延在する帯状部上にある部位とみなすことができる。この帯状部は、軸方向長さＤａを有すると共にピストンボウルの内縁の一部を規定するように構成されており、その周縁周りに延在している。したがって、このような帯状部は、突出部間にある反射面と同様、突出部の外形を形成するように適用されることになる。
【００５４】
突出部は、反射面から少なくとも距離Ｄｄｉｆｆだけ中心軸Ａに向かって延びている。例えば、距離Ｄｄｉｆｆは、ピストンボウル面の最大内径の少なくとも１０％、有利には、少なくとも２０％であってもよい。好ましくは、距離Ｄｄｉｆｆは、ピストンボウル面の最大内径の５０％未満であってもよい。
【００５５】
また、突出部は、ピストンボウルの周方向に沿った長さを有することになる。この長さは、少なくとも５°、好ましくは、少なくとも１０°、最も好ましくは、１０°〜３０°であってもよい。
【００５６】
実施形態では、ピストンボウルの内周壁は、複数の突出部及び複数の反射面で構成されてもよい。
【００５７】
選択的に、ピストンボウル面は、フロア部と反射面との間に位置する凹面、及び、反射面と環状リム部との間に位置する凸面を含んでもよい。
【００５８】
他の側面において、本開示は、以上の説明に従ったピストンクラウンを備えたピストンに関する。
【００５９】
他の側面において、本開示は、エンジンのシリンダ、及び、このシリンダ内において下死点と上死点との間で中心軸Ａに沿って往復運動するように配置されるピストンを備えた内燃機関に関する。この内燃機関において、ピストンは、以上説明したピストンクラウンを含む。
【００６０】
好ましくは、ピストンクラウンは、内燃機関のインジェクタに関連するように配置されており、インジェクタは、少なくとも１つの噴孔を含み、この噴孔は、中心軸を通る平面で視て、反射面に対する各仮想法線と、対応するインジェクタの噴孔の噴霧ベクトルとがなす角度が、１０°未満、好ましくは、５°未満、好ましくは、２°未満、最も好ましくは、略０°となるように、燃料を噴霧ベクトルに沿って噴霧衝突部に向けて噴射するように構成されている。
【００６１】
以上で説明したように、反射面に対する法線（normal）と、対応するインジェクタの噴孔の噴霧ベクトルとがなす角度が１０°未満、好ましくは、５°未満、好ましくは、２°未満、最も好ましくは、略０°である内燃機関は、場合によっては選択的に、一定角度が５０°以上であるピストンを使用することで達成することができる。
【００６２】
他の側面において、以上説明したピストンクラウンを含む内燃機関、及び／又は、以上説明した内燃機関を備えた、好ましくは、トラックである車両が提供される。本開示は、例えば、バス、掘削機、ローダ若しくは他の車両のエンジン、又は、海洋用途やバックアップ電源用のエンジンなど、トラックにおける車両エンジン以外の他のエンジンにも適用可能であることは勿論である。
【００６３】
本発明の更なる利点及び有利な特徴は以下の説明及び従属請求項に開示される。
【００６４】
以下、本開示を例示する実施形態について添付図面を参照してより詳細に説明する。
【図面の簡単な説明】
【００６５】
【図１】本発明の一実施形態によるピストンクラウンを含むピストンを備えた内燃機関の概略的な断面図である。
【図２ａ】本発明の一実施形態によるピストンクラウンの一例を示す平面図である。
【図２ｂ】図２ａのピストンクラウンを示す斜視図である。
【図３ａ】図２ａのピストンクラウンを長手方向の断面から視た側面図である。
【図３ｂ】図３ａの実施形態に追加した特徴を示す図である。
【図３ｃ】ピストンクラウンを通って延びる仮想的な円錐を更に示す、ピストンクラウンの他の実施形態を示す図である。
【図４ａ】図２ａのピストンクラウンの一部を示す他の概略的な断面図であって、突出部における断面が噴霧衝突領域における断面と比較される、断面図である。
【図４ｂ】他の実施形態によるピストンクラウンの一部を示す他の概略的な断面図であって、突出部における断面が噴霧衝突領域における断面と比較される、断面図である。
【図５】図２ａのピストンクラウンの一部を示す概略的な断面図である。
【図６】図１の内燃機関を配置可能な車両を示す概略図である。
【発明を実施するための形態】
【００６６】
図６は、以下で説明するピストンクラウン３を含む内燃機関１を備えたエンジン１０１を配置可能なトラック１００などの車両を示している。
【００６７】
図１は、エンジン用の内燃機関を概略的に示している。
【００６８】
内燃機関１は、シリンダ２を備え、シリンダ２では、ピストン５が中心軸Ａに沿って往復運動するように構成されている。ピストン５は、シリンダ２内において上死点と下死点との間で移動可能となるように、エンジンのクランクシャフト４に機械的に接続されている。
【００６９】
シリンダキャビティの一端はエンジンのシリンダヘッド１４によって閉じられている。
【００７０】
ピストン５の燃焼室に面する部分は、ピストンクラウン３を含み、ピストンクラウン３は、燃焼室に面するピストンボウル面６を有する。
【００７１】
したがって、図１では、ピストンボウル面６は、シリンダヘッド１４の内面及びシリンダ２の側壁と共に燃焼室７を形成している。
【００７２】
シリンダヘッド１４には、１以上の吸気ポート９がこれに対応する吸気バルブ１０と共に設けられている。また、シリンダヘッド１４には、１以上の排気ポート１１がこれに対応する排気バルブ１２と共に設けられている。
【００７３】
また、シリンダヘッド１４には、少なくとも１つの燃料インジェクタ１３が設けられており、これにより燃料がシリンダ２内に噴霧として噴射される。燃料は、好ましくは、６００ｂａｒ〜３０００ｂａｒの範囲の圧力にて噴射される。一般に、ＥＧＲを用いるエンジンシステムでは約１０００ｂａｒ〜約２５００ｂａｒの範囲であることが好ましく、ＥＧＲを用いないものでは約８００ｂａｒ〜１４００ｂａｒの範囲であることが好ましい。
【００７４】
着火した噴霧は、燃焼室７内で火炎柱を形成する。
【００７５】
燃料インジェクタ１３は、加圧した燃料を燃焼室に流入させることができる、少なくとも１つ、好ましくは、複数の噴孔を備えている。これにより、噴射した燃料は、燃料と燃焼室７に含まれる空気との完全な混合を誘導するように燃焼室７に運動エネルギーを提供する。
【００７６】
燃料インジェクタ１３は、燃料噴射が可能なあらゆるタイプのインジェクタであってもよい。
【００７７】
燃料インジェクタ１３は、燃料インジェクタ１３の幾何学上の中心軸Ａと、ピストン３の往復運動の軸でもある、シリンダの幾何学上の中心軸Ａとが一致するように、好ましくは、シリンダヘッドの中央に配置される。
【００７８】
内燃機関は、有利には、それぞれピストン５と共に設けられた複数のシリンダ２を備えた４ストロークエンジンであってもよい。各ピストン５は、例えば、共通のクランクシャフト４に接続されてもよい。
【００７９】
図示の実施形態では、ピストンクラウン３は、ピストン５の一部と一体形成されている。但し、ピストンクラウン３は、１以上のピストン本体に取り付けられることで完全なピストン５を形成するように、別体に設けられてもよい。
【００８０】
図２ａ、図２ｂ及び図３は、ピストンクラウン３の詳細を示している。図１で例示した内燃機関１において燃焼室７に面するピストンボウル面６は、環状リム部３４と、環状リム部３４に接続され環状リム部３４によって囲まれるフロア部３１と、を含む。
【００８１】
図３ａ及び図４から理解できるように、フロア部３１は、ピストン３の中心軸と一致した中央頂部を有する略ドーム形状となっている。フロア部３１は、このドーム形状の周方向に延びるドーム側面３２を形成し、ドーム側面３２は角度αの２倍であるドーム角度を形成している。角度αは、有利には、６０°〜８５°であってもよい。図示の実施形態では、角度αは約７５°である。
【００８２】
環状リム部３４は、周方向に間隔をあけて配置された複数の突出部３３１を含んでもよい。各突出部３３１は、環状リム部３４の向かい合う側面からピストンクラウン３の中心軸Ａに向かって延びており、中心軸Ａに向かう頂部を形成している。
【００８３】
図示の実施形態では、環状リム部３４は、ピストンクラウン３の周方向において等間隔に分布する合計６個の突出部３３１を含む。但し、上述したように、突出部３３１の数はこれに限るものではない。
【００８４】
図２に示すように、環状リム部３４は、噴霧衝突領域を構成するための反射面３３０であって、突出部３３１と交互に配置される反射面３３０を形成している。したがって、図示の実施形態では、６個の噴霧衝突領域が形成されている。
【００８５】
一般に、突出部３３１と反射面３３０とを交互に配置することで、突出部３３１の数と反射面３３０の数が同数であることが好ましい。
【００８６】
但し、反射面３３０は、環状リム部３４に形成された考えられる一対の突出部３３１間に設けられてもよい。例えば、６個の突出部３３１に対して反射面３３０を３個だけ配置してもよい。
【００８７】
反射面３３０の適切な数及び配置を、ピストンクラウン３と組み合わせて用いられる燃料インジェクタ１３の噴孔１３０の数及び配置に対応させるように決定可能であることはもちろんである。
【００８８】
上述したように、流れを突出部３３１に向かわせることで燃焼室（i.. al.）における運動エネルギーの分散を促進することである、反射面３３０の目的は、各反射面３３０が２個の突出部３３１間に配置されるべきであることを意味する。
【００８９】
図４ａは、ピストンクラウン３を反射面３３０にて切断した部分断面図であり、反射面３３０の詳細を示している。反射面３３０は、その定義によれば、環状リム部３４の一部であり、反射面３３０に対する全ての法線Ｎと中心軸Ａとがなす全ての角度β’は、選択した一定角度から±１０°の範囲にある。ここで、選択した一定角度は、少なくとも５０°である。
【００９０】
インジェクタの噴孔１３０から噴射される噴霧の方向を示す噴霧ベクトルｖを考えた場合、このような噴霧ベクトルｖは、環状リム部３４に衝突することになる。反射面３３０に対する全ての法線Ｎは、噴霧ベクトルｖと基本的に同じ角度（±１０°）であるので、噴霧ベクトルｖは、環状リム部３４との衝突が実質的な円錐部（essentially conical portion）に沿ってどの位置で起こるかに関わらず同じように反射されることになる。
【００９１】
図３ｂは、ピストンボウル面６が、フロア部３１と反射面３３０との間に位置する凹面３３７、及び、反射面３３０と環状リム部３４との間に位置する凸面３３８を含んでもよいことを示している。一例として、凹面３３７及び／又は凸面３３８は、反射面３３０に衝突しない燃料を適切な方向に向けるのに適している。
【００９２】
図３ｂは、中心軸Ａが平面の１つの軸を構成している平面におけるピストンクラウン３の断面図である。この平面の他の軸は、半径方向の軸Ｒである。
【００９３】
上記平面で視られるように、また、図３ｂに例示するように、凹面３３７は、凹面３３７上の２点を結ぶ直線（図示省略）がピストンクラウン３の外側に位置するようになっていてもよい。また、他の限定されない例のように、凸面３３８は、凸面３３８上の２点を結ぶ直線（図示省略）がピストンクラウン３の内側に位置するようになっていてもよい。
【００９４】
限定されない例のように、また、図３ｂに示すように、凹面３３７は、反射面３３０に隣接してもよい。また、反射面３３０は凸面３３８に隣接してもよい。
【００９５】
好ましくは、実質的な円錐部３０の中心軸Ａに沿った長さＤａは、噴孔１３０を通って噴射された噴霧が噴射期間全体で実質的な円錐部３０に沿ったいずれかの場所に衝突するようになっている。
【００９６】
この目的を達成するために、図３ｃは、反射面３３０が、好ましくは直円錐である仮想的な円錐３３３の包絡面３３２の一部の形状を実質的に有している、ピストンクラウンの実施形態を示している。
【００９７】
本明細書で用いられる「直円錐」とは、円形状の底面と、底面の中心を底面に直角に通る円錐軸とを有する円錐を意味する。
【００９８】
例えば、また、図３ｃに示すように、仮想的な円錐３３３は、円錐頂部３３４と、円錐底部３３５と、を有し、図３ｃの例では、円錐底部３３５は円形である。円錐頂部３３４と円錐底部３３５とは、フロア部３１を挟んで反対側に位置しており、フロア部３１は、円錐底部３３５に面している。また、仮想的な円錐３３３は、円錐底部３３５の中心から円錐頂部３３４に向かって直角に延びる円錐軸３３６を有する。図３ｃの例では、円錐軸３３６は中心軸Ａに一致している。
【００９９】
図４ａに示すように、噴霧ベクトルｖと中心軸Ａとは、噴霧衝突角度βをなしている。この噴霧衝突角度βは噴孔１３０によって決まるものである。一定角度は、噴霧衝突角度βと等しくなるように調整されるべきである。本実施形態では、一定角度と噴霧衝突角度βとの間に形成される角度である反射角度γは、比較的小さく、好ましくは、±５°の範囲内であり、最も好ましくは、略０°であるべきである。
【０１００】
例えば、反射角度０°は、ピストンクラウン３の環状リム部２４に衝突した後に噴霧ベクトルの方向と逆向きに戻ってくる噴霧に対応している。これにより、運動エネルギーの分散が促進され、特に、燃焼室における乱流を促進する効果が引き起こされる。
【０１０１】
図４ｂは、内燃機関１の他の実施形態を示す。図４ｂにおいても、噴霧ベクトルは、中心軸Ａと共に噴霧衝突角度βを形成している。しかし、図４ｂの実施形態では、一定角度β’は、噴霧衝突角度βよりも、少なくとも２°、好ましくは、少なくとも５°だけ小さい。このように、また、図４ｂに示すように、図４ｂの反射面３３０で反射した燃料は、図４ｂで視られるように、噴霧ベクトルの方向と逆向きの方向と比較して、やや上方に向いている。
【０１０２】
用語「反射面」から判断すれば、この部位は、中心軸Ａに沿った特定の軸方向長さＤａと、中心軸Ａ周りの周方向に沿った特定の周方向長さＤｃと、を有する必要があるということになり、さもないとどのような反射面も存在しないことになる。
【０１０３】
これらの長さの値は、内燃機関の意図した運転を考慮して、すなわち、ピストンがインジェクタに対して移動している間、インジェクタから噴射された噴霧が少なくとも噴射期間中に反射面に衝突可能となるように決定される。
【０１０４】
したがって、反射面の適切な軸方向長さＤａは、噴射期間、噴射の開始、燃料噴射中のインジェクタに対するピストンの位置及び移動速度を考慮して決定されてもよい。
【０１０５】
この目的を達成するために、限定されない例のように、また、このような例を示す図４ａを参照すると、反射面の軸方向長さＤａは、ピストン５がそのトップポジション、すなわち、上死点となったとき、図４ａで視られるように、インジェクタから噴射された噴霧が反射面３３０の下部に衝突することができるようなものであってもよい。上死点に達した後、ピストンは、インジェクタ１３から離れ、インジェクタ１３がまさに燃料噴射を停止しようとするとき、インジェクタ１３から噴射された燃料の最終部分が反射面３３０の上部に衝突することになる。ここで、燃料噴射は、例えば、上死点となった後、クランク角度で約２０°〜２５°にて停止するように設定されている。
【０１０６】
本明細書で用いられるように、反射面３３０の下部は、フロア部３１に最も近い位置にある反射面３３０の一部であって、フロア部３１から反射面３３０までのピストンボウル面６に倣った反射面３３０の一部として規定されてもよい。同様に、反射面３３０の上部は、フロア部３１から最も遠くに位置する反射面３３０の一部であって、フロア部３１から反射面３３０を超えてピストンボウル面６に倣った反射面３３０の一部として規定されてもよい。
【０１０７】
図４ａに示すように、ピストンボウル面６のフロア部３１は、中心軸Ａに沿って視られるように、ピストンボウル面６の最低位置を規定している。また、環状リム部３４は、ピストンボウル面６の最高位置を規定している。最高位置と最低位置との間の距離は、ピストンボウル長さＤｍａｘとみなされる。
【０１０８】
反射面の軸方向長さＤａは、ピストンボウル長さＤｍａｘとの関連で表現されてもよく、ピストンボウル長さＤｍａｘの少なくとも１０％であってもよい。図示の実施形態では、反射面の軸方向長さＤａは、ピストンボウル長さＤｍａｘの約２５％である。
【０１０９】
図４ａに示すように、反射面３３０は、その長さの始点がピストンボウル面６の最低位置から距離Ｄ１の位置となるように配置されてもよい。このようにすることは、距離Ｄ１により、噴霧が衝突する反射面３３０と、ピストンボウル面６のフロア部３１との間に空間が提供されるので好ましい。このような空間は、噴霧の乱流を生成するのに重要となり得る。
【０１１０】
この目的を達成するために、反射面３３０は、その長さの始点がピストンボウル長さＤｍａｘの少なくとも１５％である距離Ｄ１の位置となるように配置されてもよい。図示の実施形態では、Ｄ１は、ピストンボウル長さＤｍａｘの約２０％である。
【０１１１】
同様に、反射面３３０は、その長さの終点がピストンボウル面６の最高位置からの距離Ｄ２の位置となるように配置されてもよい。距離Ｄ２は、ピストンボウル長さＤｍａｘの少なくとも１０％であってもよく、好ましくは、１５％〜６０％であってもよい。
【０１１２】
図２において反射面３３０の一例を上方から示したように、反射面３３０は、中心軸Ａ周りの周方向長さＤｃを有してもよい。周方向長さＤｃは、中心軸Ａと直交する平面で視て、周方向長さの角度δとして表される。
【０１１３】
周方向長さの角度δは、少なくとも５°、好ましくは、少なくとも１０°、最も好ましくは、１０°〜４０°又は２０°〜３５°であってもよい。図示の実施形態では、周方向長さの角度δは約３０°である。
【０１１４】
図２に示す実施形態では、複数の反射面３３０は、中心軸Ａ周りに等角度間隔にて配置されている。反射面３３０の配置を決定するためには、このような部分の中心、すなわち、軸方向長さＤａの中間点と周方向長さＤｃとの交点を考慮すべきである。
【０１１５】
反射面３３０の中心軸Ａ周りの配置は、ピストンクラウン３と共に用いられる燃料インジェクタ１３の噴孔１３０の配置に対応するように決定されるべきであることが理解されよう。
【０１１６】
図２に示す実施形態では、反射面３３０は中心軸Ａ周りに６０°間隔で分布している。
【０１１７】
好ましくは、また、図２に示すように、反射面３３０の全ては同じ形状である。言い換えれば、複数の反射面３３０は、同じバラツキを有する同じ一定角度β’で表され、同じ軸方向長さＤａ及び周方向長さＤｃで表わされている。
【０１１８】
また、反射面３３０は、ピストンクラウンの噴霧衝突領域の全てを構成していることが好ましい。言い換えれば、インジェクタ１３と共に設ける場合、反射面３３０には、インジェクタ１３から噴射される噴霧の全てが衝突することになる。
【０１１９】
各突出部３３１は、既知の技術に従って、中心軸Ａに向かう頂部を形成している。突出部３３１の頂部の少なくとも一部が形成する面に対する法線と中心軸Ａとがなす角度が反射面３３０についての一定角度と同じとなる場合に有利となることが分かっている。
【０１２０】
図５に示すように、これは、突出部３３１の頂部に対する法線が反射面３３０の法線と略平行に延びていることを意味している。
【０１２１】
突出部３３１の軸方向長さ及びこのような面の配置は、好ましくは、反射面３３０の軸方向長さＤａ及び配置に対応させてもよいし、又は、これらと少なくとも部分的に一致させてもよい。
【０１２２】
図５にも示すように、突出部３３１は、反射面３３０から少なくとも径方向距離Ｄｄｉｆｆだけ中心軸Ａに向かって延びている。例えば、径方向距離Ｄｄｉｆｆは、ピストンボウル面６の最大内径の少なくとも１０％、有利には、少なくとも２０％であってもよい。好ましくは、径方向距離Ｄｄｉｆｆは、ピストンボウル面６の最大内径の５０％未満であってもよい。
【０１２３】
また、突出部３３１は、ピストンボウルの周方向に沿った長さを有する。この長さは、少なくとも５°、好ましくは、少なくとも１０°、最も好ましくは、１０°〜３０°であってもよい。
【０１２４】
図示の実施形態では、ピストンボウル面６の内周壁は、突出部３３１と反射面３３０とで構成されている。
【０１２５】
各図面に示すように、ピストンクラウン３の中心軸Ａを用いて形成される角度に関する、本明細書に記載の角度α、β、β’の全ては、中心軸Ａのピストン５に向かう方向で視て計測されている。
【０１２６】
本発明は、上述し且つ図示した実施形態に限定されるものではないことを理解すべきであり、当業者であれば、添付した特許請求の範囲を逸脱しない範囲内で多くの変更及び改良が可能であることが認識されるであろう。
【０１２７】
特に、また、以上で概説したように、反射面及び突出部の数は変更可能である。また、様々な特徴の寸法は、特定の状況に適するように適合可能である。
【図１】
2019504243.tif 000003
【図２ａ】
2019504243.tif 000004
【図２ｂ】
2019504243.tif 000005
【図３ａ】
2019504243.tif 000006
【図３ｂ】
2019504243.tif 000007
【図３ｃ】
2019504243.tif 000008
【図４ａ】
2019504243.tif 000009
【図４ｂ】
2019504243.tif 000010
【図５】
2019504243.tif 000011
【図６】
2019504243.tif 000012
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
エンジンシリンダ（２）と、
前記エンジンシリンダ（２）内において下死点と上死点との間で中心軸（Ａ）に沿って往復運動するように配置されたピストン（５）と、
を備えた内燃機関（１）であって、
前記ピストン（５）は、前記エンジンシリンダ（２）内の燃焼室（７）に面するように構成されたピストンボウル面（６）を有するピストンクラウン（３）を含み、
前記ピストンクラウン（３）が前記内燃機関（１）のインジェクタ（１３）に関連するように配置されており、前記インジェクタ（１３）が少なくとも１つの噴孔（１３０）を含み、前記噴孔（１３０）が燃料を噴霧ベクトルに沿って噴霧衝突部に向けて噴射するように構成されており、
前記ピストンボウル面（６）は、
環状リム部（３４）と、
当該環状リム部（３４）に接続され前記環状リム部（３４）によって囲まれるフロア部（３１）と、
前記環状リム部（３４）において周方向に間隔をあけて配置される複数の突出部（３３１）と、
隣り合う２つの前記突出部間に配置される少なくとも１つの噴霧衝突部と、
を含み、
前記噴霧衝突部が、
仮想的な円錐（３３３）の包絡面（３３２）の一部の形状を実質的に有する反射面（３３０）であって、当該反射面（３３０）に対する各仮想法線（Ｎ）が前記ピストン（５）の中心軸（Ａ）に向かうように方向付けられると共に、前記各仮想法線（Ｎ）と前記中心軸（Ａ）とがなす角度（β’）が一定角度の±２°の範囲内であることによって規定される前記反射面（３３０）を含み、
前記一定角度が少なくとも５０°であり、
前記環状リム部（３４）は、前記中心軸（Ａ）に沿った前記ピストンボウル面（６）の最高位置を規定し、前記フロア部（３１）が、前記中心軸（Ａ）に沿った前記ピストンボウル面（６）の最低位置を規定し、前記ピストンボウル（３）が、前記最高位置と前記最低位置と差である、前記中心軸（Ａ）に沿ったピストンボウル長さ（Ｄｍａｘ）を有しており、
前記反射面（３３０）は、前記中心軸（Ａ）に沿った反射面長さ（Ｄａ）を有し、
前記反射面長さ（Ｄａ）が、前記ピストンボウル長さ（Ｄｍａｘ）の少なくとも１０％、好ましくは、前記ピストンボウル長さ（Ｄｍａｘ）の少なくとも１５％であり、
前記噴霧ベクトルと前記中心軸（Ａ）とが噴霧角度（β）をなし、前記一定角度が、前記噴霧角度（β）よりも少なくとも２°、好ましくは、少なくとも５°だけ小さいことを特徴とする、内燃機関（１）。
【請求項２】
前記仮想的な円錐（３３３）は、直円錐である、請求項１に記載の内燃機関（１）。
【請求項３】
前記仮想的な円錐（３３３）は、円錐頂部（３３４）及び円錐底部（３３５）を有し、前記円錐頂部（３３４）と前記円錐底部（３３５）とが前記フロア部（３１）を挟んで反対側に位置しており、前記フロア部（３１）が前記円錐底部（３３５）に面している、請求項２に記載の内燃機関（１）。
【請求項４】
前記反射面長さ（Ｄａ）は、前記ピストンボウル長さ（Ｄｍａｘ）の１５％〜３０％、好ましくは、前記ピストンボウル長さ（Ｄｍａｘ）の２０％〜３０％、最も好ましくは、前記ピストンボウル長さ（Ｄｍａｘ）の約２５％である、請求項１〜請求項３のいずれか１つに記載の内燃機関（１）。
【請求項５】
前記反射面長さ（Ｄａ）は、前記中心軸（Ａ）に沿って、前記ピストンボウル面（６）の前記最低位置から第１の距離（Ｄ１）の位置を始点に延びており、前記第１の距離（Ｄ１）が、前記ピストンボウル長さ（Ｄｍａｘ）の少なくとも１５％、好ましくは、前記ピストンボウル長さ（Ｄｍａｘ）の少なくとも２５％、最も好ましくは、少なくとも３０％である、請求項１〜請求項４のいずれか１つに記載の内燃機関（１）。
【請求項６】
前記一定角度は、少なくとも６０°、好ましくは、少なくとも７０°、最も好ましくは、７０°〜８０°である、請求項１〜請求項５のいずれか１つに記載の内燃機関（１）。
【請求項７】
前記一定角度は、８５°未満、好ましくは、８０°未満である、請求項１〜請求項６のいずれか１つに記載の内燃機関（１）。
【請求項８】
前記反射面（３３０）は、前記中心軸（Ａ）に直角な平面において、前記中心軸（Ａ）周りに少なくとも５°、好ましくは、少なくとも１０°、最も好ましくは、１０°〜４０°の範囲内の角度（δ）に対応する、前記環状リム部（３４）の周方向に沿った長さを有する、請求項１〜請求項７のいずれか１つに記載の内燃機関（１）。
【請求項９】
前記環状リム部（３４）は、少なくとも２個、好ましくは、２個〜１０個、より好ましくは４個〜８個、最も好ましくは、５個〜７個の反射面（３３０）を含む、請求項１〜請求項８のいずれか１つに記載の内燃機関（１）。
【請求項１０】
前記反射面（３３０）は、前記中心軸（Ａ）周りで等角度間隔にて配置されている、請求項１〜請求項９のいずれか１つに記載の内燃機関（１）。
【請求項１１】
前記ピストンクラウン（３）の反射面（３３０）の全てが同じ形状である、請求項１〜請求項１０のいずれか１つに記載の内燃機関（１）。
【請求項１２】
前記ピストンクラウン（３）の前記突出部（３３１）の少なくとも幾つかは同じ形状であり、好ましくは、前記ピストンクラウン（３）の前記突出部（３３１）の全てが同じ形状である、請求項１〜請求項１１のいずれか１つに記載の内燃機関（１）。
【請求項１３】
少なくとも１つの前記突出部（３３１）の部分であって前記中心軸（Ａ）の最も近くに位置する部分の少なくとも一部が形成する面に対する各仮想法線は、前記反射面（３３０）についての前記各仮想法線と同じ角度（β’）である、請求項１〜請求項１２のいずれか１つに記載の内燃機関（１）。
【請求項１４】
前記ピストンボウル面（６）は、前記フロア部（３１）と前記反射面（３３０）との間に位置する凹面（３３７）、及び、前記反射面（３３０）と前記環状リム部（３４）との間に位置する凸面（３３８）を含む、請求項１〜請求項１３のいずれか１つに記載の内燃機関（１）。
【請求項１５】
請求項１〜請求項１４のいずれか１つに記載の内燃機関を含む内燃機関を備えた、好ましくは、トラック（１００）である車両。
【国際調査報告】
2019504243.tif 000013
2019504243.tif 000014
2019504243.tif 000015